【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
軸方向中心軸を有し駆動シャフトに回転可能に連結する本体と、
前記本体の外側に連結される外側ケーシングであって、前記外側ケーシングは、前記本体に対し同軸で回転するが軸方向には動かず、前記外側ケーシングは軸方向開口を有している、外側ケーシングと、
前記本体と前記外側ケーシングに対し可動に配置され、前記軸方向開口と連通する複数のあご部と、
前記外側ケーシングの動きを前記あご部の動きにリンクする適合機構であって、前記外側ケーシングの本体に対する前記あご部の把持を締め付ける締め付け方向への回転により、前記あご部は前記軸方向中心軸の方向に近づき、前記外側ケーシングの本体に対する締め付け方向とは反対の前記あご部の把持を緩める開放方向への回転により、前記あご部は前記軸方向中心軸から離れる方向に動く、適合機構と、
前記本体の外側に連結されたロック用制御スリーブにより動作するラチェット機構を有するロック装置であって、前記ロック用制御スリーブは、カムと弾性要素と協働して、角度方向のロック位置と開放位置の間で回転し、前記ラチェット機構は、前記ロック用制御スリーブが角度方向のロック位置にある時は、前記本体と外側ケーシングの間の前記開放方向への相対回転を阻止するが、前記締め付け方向への相対的回転は可能とし、前記ロック用制御スリーブが角度方向の開放位置にある時には、前記本体と外側ケーシングの間の相対回転が両方向で可能となる、ロック装置と、
を有しているロック装置付チャックにおいて、
前記ラチェット機構は、
前記外側ケーシングに固定され、複数の非対称歯を有する歯付きリングと、
前記歯付きリングに向き合うラチェット・リングであって、前記ラチェット・リングは、前記本体に対し軸方向にスライドするが同軸では回転せず、前記ラチェット・リングは、環状体と、前記環状体から歯付きリングの非対称歯の方向に伸びる１つ以上のラチェットつめ又は歯とを有している、ラチェット・リングと、
前記本体の外側に配置され、前記歯付きリングの反対側で前記ラチェット・リングに隣接して配置されるロック用制御スリーブの内側に固定されるロック用リングと、
を有し、
前記弾性要素は、圧縮状態で、前記ラチェット・リングと歯付きリングとの間に配置される開放用弾性要素であり、
前記カムは、前記ロック用リングの壁に形成されたカム溝と、前記カム溝と前記本体に形成された軸方向中心軸に直交する穴内に挿入されるピンとを有し、
前記カムは、前記ロック用リングが前記ロック用制御スリーブにより本体に対し同軸で回転した時に、前記ロック用リングの軸方向の動きを、前記角度方向ロック位置と角度方向開放位置にそれぞれ対応する軸方向ロック位置と軸方向開放位置の間に決定し、
前記ロック用リングは、前記軸方向ロック位置にある時は、前記開放用弾性要素の力に抗して、前記ラチェットつめ又は歯を歯付きリングに押し付け、前記軸方向開放位置にある時は、前記開放用弾性要素の力が、前記ラチェットつめ又は歯を歯付きリングから切り離すことを特徴とするロック装置付きチャック。
【請求項２】
前記ラチェット・リングは剛性材料製であり、
前記ラチェット・リングの歯は、前記歯付きリングの非対称歯に嵌まり、圧縮弾性要素が、前記ラチェット・リングとロック用リングとの間に、圧縮された状態で配置されることを特徴とする請求項１に記載のロック装置付きチャック。
【請求項３】
前記ラチェット・リングは、弾性鋼板製の環状体であり、
前記環状体は、前記環状体から前記歯付きリングの非対称歯の方向に傾斜して伸び前記ラチェットつめを提供する自由端を有する係止用弾性タブを規定する切り欠きを有することを特徴とする請求項１に記載のロック装置付きチャック。
【請求項４】
前記開放用弾性要素は、弾性スプリング・タブにより形成され、
前記弾性スプリング・タブは、前記ラチェット・リングに形成さ、記ラチェット・リングから傾斜して前記歯付きリングの方向に伸びる追加的な切り欠きにより形成され、
前記各弾性スプリング・タブは、前記歯付きリングの非対称歯の上に静止する丸い端部を有し、前記丸い端部は、前記係止用弾性タブのラチェットつめよりも、前記ラチェット・リングから軸方向に離れた位置に配置されることを特徴とする請求項３に記載のロック装置付きチャック。
【請求項５】
前記適合機構は、ネジ連結により前記本体に連結され、軸方向にスライドするが同軸では回転しないよう、前記外側ケーシングに連結されるプッシャーを有し、
前記プッシャーは、前記あご部と動作可能に連結され、前記プッシャーと一緒に前記外側ケーシングの本体に対する締め付け方向への回転により、前記あご部が前記軸方向中心軸の方向に動き、前記プッシャーと一緒に前記外側ケーシングの本体に対する開放方向への回転により前記あご部は前記軸方向中心軸から離れる方向に動く
ことを特徴とする請求項１に記載のロック装置付きチャック。
【請求項６】
前記本体は、第１軸方向貫通穴を有し、
前記プッシャーは、前記第１軸方向貫通穴と連通し整合する第２軸方向貫通孔を有することを特徴とする請求項５に記載のロック装置付きチャック。
【請求項７】
前記外側ケーシングは、前方スリーブと後方スリーブを有し、
前記前方スリーブ内にあご部が収納され、前記後方スリーブは、前記歯付きリングの非対称歯が形成される後端部を有し、前記前方スリーブと後方スリーブは、ねじ連結により互いに固定して連結されることを特徴とする請求項５に記載のロック装置付きチャック。
【請求項８】
前記あご部は、前記前方スリーブ内に収納され前記外側ケーシングに対し不動状態にあるガイド・ボディ内に形成されるガイドに連結されることを特徴とする請求項７に記載のロック装置付きチャック。
【請求項９】
前記外側ケーシングは、前記本体に対し、前記後方スリーブと本体の間に配置された回転要素と共働して、回転し、軸方向負荷を担時することを特徴とする請求項７に記載のロック装置付きチャック。
【請求項１０】
前記ロック用制御スリーブは、傾斜クラウン歯車を有し、前記外側ケーシングの後方スリーブは、半径方向のキー・ガイド穴を有し、前記半径方向のキー・ガイド穴は、補助キーの端部ボスを収納するような形状と場所に配置され、前記傾斜クラウン歯車は、前記補助キーの端部ボスが前記半径方向のキー・ガイド穴内に挿入された時に、前記補助キーの傾斜ピニオンと噛み合うことを特徴とする請求項７に記載のロック装置付きチャック。
【請求項１１】
前記プッシャーは雄ねじを有し、前記雄ねじは本体に形成された雌ねじに噛み合うことを特徴とする請求項５に記載のロック装置付きチャック。
【請求項１２】
前記適合機構は、前記外側ケーシングの内側に固定される作動リングを有し、
前記作動リングは、前記あご部に形成されたスレッド歯に連結されるねじ山を有し、前記作動リングの本体に対する締め付け方向への回転により、前記あご部は前記軸方向中心軸の方向に動き、前記作動リングの本体に対する開放方向への回転により、前記あご部は前記軸方向中心軸から離れる方向に動くことを特徴とする請求項１に記載のロック装置付きチャック。
【請求項１３】
前記あご部は、前記本体に形成されたガイドホール内に収納され、前記ガイドホールは、前記軸方向中心軸の方向に向いて収束する方向で傾斜しており、
前記作動リングは、前記本体に形成された円周方向溝内に挿入され、前記円周方向溝内に前記ガイドホールと連通する交差開口が形成されることを特徴とする請求項１２に記載のロック装置付きチャック。
【請求項１４】
前記ロック用制御スリーブは、前記カム溝をカバーする内側表面を有し、前記ピンをカム溝内にかつ本体の穴内に挿入された状態に維持することを特徴とする請求項１に記載のロック装置付きチャック。
【請求項１５】
前記開放用弾性要素は、コイル・スプリングにより形成され、
前記コイル・スプリングは、前記ラチェット・リングに支持される第１端と、前記外側ケーシングに形成された第１環状シートに支持される第２端とを有することを特徴とする請求項１に記載のロック装置付きチャック。
【請求項１６】
前記開放用弾性要素は、コイル・スプリングにより形成され、
前記コイル・スプリングは、前記ラチェット・リングに支持される第１端と、前記外側ケーシングに形成された第２環状シートに支持される第２端とを有することを特徴とする請求項１に記載のロック装置付きチャック。
【請求項１７】
前記本体は、前記ラチェット・リングの中央穴を貫通して挿入される円筒状部分を有し、
前記円筒状部分は、保持用溝が前記軸方向中心軸に平行に形成される外側表面を有し、前記ラチェット・リングは、前記ラチェット・リングの中央穴の内側エッジから前記軸方向中心軸の方向に伸びる保持舌部を有し、前記保持舌部は、前記本体の保持用溝内に挿入され、前記ラチェット・リングと本体との間の相対的回転を阻止することを特徴とする請求項１に記載のロック装置付きチャック。
【請求項１８】
前記カム内に含まれるカム溝は、円周方向に第１端と第２端の間を伸び、前記第１端は、前記ラチェット・リングに隣接するロック用リングの支持表面に、前記軸方向中心軸方向で、前記第２端よりも近くにあることを特徴とする１に記載のロック装置付きチャック。
【請求項１９】
前記カム内に含まれるカム溝は、前記第１端と第２端の間に、第１中間点と第２中間点を更に有し、
前記第１中間点は、前記第２端よりも円周方向で第１端の近くの位置で、かつ前記第２端よりも軸方向で支持表面から離れた位置にあり、前記第２中間点は、円周方向で前記第１端よりも前記第２端の近くの位置で、かつ前記軸方向中心軸方向で前記支持表面から前記第２端とは同一距離の位置にあることを特徴とする請求項１８に記載のロック装置付きチャック。
【請求項２０】
軸方向中心軸を有し駆動シャフトに回転可能に連結する本体と、
前記本体の外側に連結される外側ケーシングであって、前記外側ケーシングは、前記本体に対し同軸で回転するが軸方向には動かず、前記外側ケーシングは軸方向開口を有している、外側ケーシングと、
前記本体と前記外側ケーシングに対し可動に配置され、前記軸方向開口と連通する複数のあご部と、
前記外側ケーシングの動きを前記あご部の動きにリンクする適合機構であって、前記外側ケーシングの本体に対する前記あご部の把持を締め付ける締め付け方向への回転により、前記あご部は前記軸方向中心軸の方向に近づき、前記外側ケーシングの本体に対する締め付け方向とは反対の前記あご部の把持を緩める開放方向への回転により、前記あご部は前記軸方向中心軸から離れる方向に動く、適合機構と、
前記本体の外側に連結されたロック用制御スリーブにより動作するラチェット機構を有するロック装置であって、前記ロック用制御スリーブは、カムと弾性要素と協働して、角度方向のロック位置と開放位置の間で回転し、前記ラチェット機構は、前記ロック用制御スリーブが角度方向のロック位置にある時は、前記本体と外側ケーシングの間の前記開放方向への相対回転を阻止するが、前記締め付け方向への相対的回転は可能とし、前記ロック用制御スリーブが角度方向の開放位置にある時には、前記本体と外側ケーシングの間の相対回転が両方向で可能となる、ロック装置と、
を有しているロック装置付チャックにおいて、
前記ラチェット機構は、
前記外側ケーシングに固定され、複数の非対称歯を有する歯付きリングと、
前記歯付きリングに向き合うラチェット・リングであって、前記ラチェット・リングは、前記本体に対し軸方向にスライドするが同軸では回転せず、前記ラチェット・リングは、剛性材料製の環状体と、前記環状体から歯付きリングの非対称歯の方向に伸びる歯とを有している、ラチェット・リングと、
前記本体の外側に配置され、前記歯付きリングの反対側で前記ラチェット・リングに隣接して配置されるロック用制御スリーブの内側に固定されるロック用リングと、
前記ラチェット・リングとロック用リングとの間に、圧縮された状態で配置される圧縮弾性要素と、
を有し、
前記弾性要素は、圧縮状態で、前記ラチェット・リングと歯付きリングとの間に配置される開放用弾性要素であり、
前記カムは、前記ロック用リングの壁に形成されたカム溝と、前記カム溝と前記本体に形成された軸方向中心軸に直交する穴内に挿入されるピンとを有し、
前記カムは、前記ロック用リングが前記ロック用制御スリーブにより本体に対し同軸で回転した時に、前記ロック用リングの軸方向の動きを、前記角度方向ロック位置と角度方向開放位置にそれぞれ対応する軸方向ロック位置と軸方向開放位置の間に決定し、
前記ロック用リングは、前記軸方向ロック位置にある時は、前記開放用弾性要素の力に抗して、歯を歯付きリングに押し付け、前記軸方向開放位置にある時は、前記開放用弾性要素の力が、歯を歯付きリングから切り離すことを特徴とするロック装置付きチャック。
【請求項２１】
前記適合機構は、ネジ連結により前記本体に連結され、軸方向にスライドするが同軸では回転しないよう、前記外側ケーシングに連結されるプッシャーを有し、
前記プッシャーは、前記あご部と動作可能に連結され、前記プッシャーと一緒に前記外側ケーシングの本体に対する締め付け方向への回転により、前記あご部が前記軸方向中心軸の方向に動き、前記プッシャーと一緒に前記外側ケーシングの本体に対する開放方向への回転により前記あご部は前記軸方向中心軸から離れる方向に動く
ことを特徴とする請求項２０に記載のロック装置付きチャック。